(57)【要約】      （修正有）【課題】皮膚状態の診断と皮膚状態の改善とを１つの機器で実現し得る皮膚美容機器およびその制御方法を提供する。【解決手段】ユーザが把持し得る本体と、前記本体の一方に配置されユーザ皮膚の油水分量を測定し得る測定部と、前記油水分量の測定結果に基づいて特定波長帯域の光と微弱電流強度のうち少なくとも１つを推奨する推奨モードを決定する制御部と、前記制御部で決定された前記推奨モードを表示し得る表示部と、前記推奨モードを選択モードに変更し得るボタン部と、前記表示部に表示される前記推奨モードまたは前記ボタン部によって変更された選択モードに応じて、光および微弱電流の少なくとも１つ以上をユーザの皮膚に印加し得る作動部とを含む皮膚美容機器。【選択図】図１
2020151478.tif 000002
【特許請求の範囲】
【請求項１】
ユーザが把持し得る本体と、
前記本体の一方に配置され、ユーザ皮膚の油水分量を測定し得る測定部と、
前記油水分量の測定結果に基づいて、特定波長帯域の光と微弱電流強度のうち少なくとも１つを推奨する推奨モードを決定する制御部と、
前記制御部で決定された前記推奨モードを表示し得る表示部と、
前記推奨モードを選択モードに変更し得るボタン部と、
前記表示部に表示される前記推奨モードまたは前記ボタン部によって変更された選択モードに応じて、光と微弱電流の少なくとも１つ以上をユーザの皮膚に印加し得る作動部とを含む皮膚美容機器。
【請求項２】
前記制御部は、
前記測定部で測定された結果値の範囲に応じて複数の推奨モードのいずれか１つの推奨モードに対応する色を前記表示部に表示するが、前記測定部で測定された結果値の範囲が異なっても、前記作動部から同じ色を有する波長帯域の光が照射されるように設定される、請求項１に記載の皮膚美容機器。
【請求項３】
前記作動部は、
互いに異なる波長帯域の光の照射が可能な複数の光源、およびユーザの皮膚に電位差を発生させて皮膚の電気的環境を変化させ得る電極部のうち少なくとも１つを含み、
前記光源が照射する光の波長帯域は単位照射波長区間を含み、
前記単位照射波長区間は、
青色を照射する第１色相照射区間と、
黄色を照射する第２色相照射区間と、
赤色を照射する第３色相照射区間とを含む、請求項１に記載の皮膚美容機器。
【請求項４】
前記制御部は、
前記第１色相照射区間、前記第２色相照射区間および前記第３色相照射区間を含む前記単位照射波長区間に対する光の照射が少なくとも１回以上繰り返されるように前記光源を制御する、請求項３に記載の皮膚美容機器。
【請求項５】
前記制御部は、
前記単位照射波長区間に対する光の照射が少なくとも２回繰り返されるように前記光源を制御する、請求項４に記載の皮膚美容機器。
【請求項６】
前記測定部は、
既定の周波数を発振する第１電極と、
前記第１電極から発振された周波数を受信する第２電極とを含み、
前記測定部は、前記第１電極から発振された周波数値と前記第２電極で受信した周波数値との差に基づいて油水分量を算出し、
前記表示部は、
前記第１電極と前記第２電極によって測定された皮膚の油水分量に基づいて、前記作動部から印加される前記光の波長帯域と前記微弱電流の強さとを推奨する複数の推奨モードを表示し得る、請求項１に記載の皮膚美容機器。
【請求項７】
前記表示部で示せる複数の前記推奨モードは、
前記作動部から印加される光の第１波長帯域と微弱電流の第１強度とを推奨する第１推奨モードと、
前記作動部から印加される光の第２波長帯域と微弱電流の第２強度とを推奨する第２推奨モードと、
前記作動部から印加される光の第３波長帯域と微弱電流の第３強度とを推奨する第３推奨モードとを含み、
前記作動部は、
互いに異なる光の波長帯域と微弱電流とを皮膚に印加し得る複数の作動モードで動作可能であり、
複数の前記作動モードは、
光の第１波長帯域と微弱電流の第１強度とを印加する第１作動モードと、
光の第２波長帯域と微弱電流の第２強度とを印加する第２作動モードと、
光の第３波長帯域と微弱電流の第３強度とを印加する第３作動モードと、
第１作動モード、第２作動モードおよび第３作動モードのうち少なくとも２つが設定された時間の間に動作する第４作動モードとを含む、請求項１に記載の皮膚美容機器。
【請求項８】
前記ボタン部は、
前記第１作動モード〜第４作動モードのいずれか１つに変更可能な動作ボタンと、
前記第１作動モード〜第４作動モードを示せる複数の色を表示する通知部とを含む、請求項７に記載の皮膚美容機器。
【請求項９】
前記表示部は、
複数の色を表示し得る複数のＬＥＤを含み、
前記ＬＥＤの色と、点灯量と、点灯および消灯の繰り返し程度とに応じて、ユーザの皮膚状態を示せる、請求項１に記載の皮膚美容機器。
【請求項１０】
前記作動部と同一平面に形成される接触センサーを含み、
前記表示部に表示される色と前記ボタン部に表示される色とが同一の場合、前記接触センサーを皮膚に接触させることにより、前記推奨モードで推奨する光と微弱電流とが前記作動部により皮膚に印加される、請求項１に記載の皮膚美容機器。
【請求項１１】
前記作動部による光と微弱電流の印加と、前記測定部による皮膚状態の測定とが同時に起こり得るように、前記作動部と前記測定部とは同一平面に位置する、請求項１に記載の皮膚美容機器。
【請求項１２】
前記第１色相照射区間で照射される光の波長帯域は４００ｎｍ〜４８０ｎｍであり、
前記第２色相照射区間で照射される光の波長帯域は５５０ｎｍ〜６１０ｎｍであり、
前記第３色相照射区間で照射される光の波長帯域は６１０ｎｍ〜６５０ｎｍである、請求項３に記載の皮膚美容機器。
【請求項１３】
皮膚状態を改善するための皮膚美容機器の制御方法において、
測定部により皮膚の油水分量を測定する段階と、
制御部により前記油水分量に応じた特定波長帯域の光と微弱電流強度とを推奨する推奨モードを決定する段階と、
表示部によって互いに異なる光の波長帯域と互いに異なる微弱電流とを推奨する複数の推奨モードのいずれか1つの推奨モードを表示する段階と、
ボタン部の動作により選択モードに変更されるか、ボタン部の作動なく接触センサーを皮膚に接触させて表示部により表示される推奨モードが実行される段階と、
前記表示部によって表示される推奨モードが実行される場合、作動部を介して表示部により表示される前記推奨モードが示す波長帯域の光と微弱電流とを皮膚に印加する段階と、
前記選択モードが実行される場合、作動部を介して前記ボタン部の作動により選択された波長帯域の光と微弱電流とを皮膚に印加する段階とを含む、皮膚美容機器の制御方法。
【請求項１４】
測定部により前記作動部の動作過程において皮膚状態を既定の時間間隔で測定し、前記表示部により皮膚状態の変化を示す段階と、
前記表示部により前記作動部の動作が完了した後の皮膚状態が表示される段階とを含む、請求項１３に記載の皮膚美容機器の制御方法。
【発明の詳細な説明】
【技術分野】
【０００１】
本発明は、皮膚美容機器およびその制御方法に関するものである。
【背景技術】
【０００２】
最近、人々の美容に対する関心が増えつつあり、化粧品のみならず皮膚状態を改善できる皮膚美容機器に対する関心が増大している。
【０００３】
従来の皮膚美容機器を使用する際、ユーザは現在の肌状態に関係なく、視覚および触覚に依存した恣意的な判断の下で皮膚美容機器を使用していた。それにより、皮膚美容機器を使用するにもかかわらず、むしろ皮膚状態を悪化させたり、皮膚に求められる美容効果が得られなかったりするという問題点がある。
【先行技術文献】
【特許文献】
【０００４】
【特許文献１】韓国登録特許第１０−１６４２２４８号公報（２０１６年７月１８日登録）
【発明の概要】
【発明が解決しようとする課題】
【０００５】
本発明の実施例は、皮膚状態の診断と皮膚状態の改善とを１つの機器で実現し得る皮膚美容機器およびその制御方法を提供することとする。
【０００６】
また、皮膚状態に適した光と微弱電流とを印加して、皮膚に必要な効果を提供することにより、皮膚状態を改善できる皮膚美容機器およびその制御方法を提供することとする。
【０００７】
また、皮膚状態に適した光と微弱電流とを推奨する推奨モードを提供し得る皮膚美容機器およびその制御方法を提供することとする。
【０００８】
また、互いに異なる波長帯域の光と微弱電流とを同時に印加し得る、皮膚美容機器およびその制御方法を提供することとする。
【課題を解決するための手段】
【０００９】
本発明の一実施例によると、ユーザが把持し得る本体と、前記本体の一方に配置され、ユーザ皮膚の油水分量を測定し得る測定部と、前記油水分量の測定結果に基づいて、特定波長帯域の光と微弱電流強度のうち少なくとも１つを推奨する推奨モードを決定する制御部と、前記制御部で決定された前記推奨モードを表示し得る表示部と、前記推奨モードを選択モードに変更し得るボタン部と、前記表示部に表示される前記推奨モードまたは前記ボタン部によって変更された選択モードに応じて、光および微弱電流の１つ以上をユーザの皮膚に印加し得る作動部とを含む皮膚美容機器が提供され得る。
【００１０】
また、前記制御部は、前記測定部で測定された結果値の範囲に応じて、複数の推奨モードのいずれか１つの推奨モードに対応する色を前記表示部に表示するが、前記測定部で測定された結果値の範囲が異なっても、前記作動部から同じ色を有する波長帯域の光が照射されるように設定される、皮膚美容機器が提供され得る。
【００１１】
また、前記作動部は、互いに異なる波長帯域の光の照射が可能な複数の光源、およびユーザの皮膚に電位差を発生させて皮膚の電気的環境を変化させ得る電極部のうち少なくとも１つを含み、前記光源が照射する光の波長帯域は単位照射波長区間を含み、前記単位照射波長区間は青色を照射する第１色相照射区間と、黄色を照射する第２色相照射区間と、赤色を照射する第３色相照射区間とを含む、皮膚美容機器が提供され得る。
【００１２】
また、前記制御部は、前記第１色相照射区間と、前記第２色相照射区間と、前記第３色相照射区間とを含む前記単位照射波長区間に対する光の照射が少なくとも１回以上繰り返されるように前記光源を制御する皮膚美容機器が提供され得る。
【００１３】
また、前記制御部は、前記単位照射波長区間に対する光の照射が少なくとも２回繰り返されるように前記光源を制御する、皮膚美容機器が提供され得る。
【００１４】
また、前記測定部は、既定の周波数を発振する第１電極と、前記第１電極から発振された周波数を受信する第２電極とを含み、前記測定部は、前記第１電極から発振された周波数の値と前記第２電極で受信した周波数の値との差に基づいて油水分量を算出し、前記表示部は、前記第１電極と前記第２電極とによって測定された皮膚の油水分量に基づいて、前記作動部で印加する前記光の波長帯域と前記微弱電流の強さとを推奨する複数の推奨モードを表示し得る、皮膚美容機器が提供され得る。
【００１５】
また、前記表示部で表示し得る複数の前記推奨モードは、前記作動部から印加される光の第１波長帯域と微弱電流の第１強度とを推奨する第１推奨モードと、前記作動部から印加される光の第２波長帯域と微弱電流の第２強度とを推奨する第２推奨モードと、前記作動部から印加される光の第３波長帯域と微弱電流の第３強度とを推奨する第３推奨モードとを含み、前記作動部は、互いに異なる光の波長帯域と微弱電流とを皮膚に印加し得る複数の作動モードにより動作可能であり、複数の前記作動モードは、光の第１波長帯域と微弱電流の第１強度とを印加する第１作動モードと、光の第２波長帯域と微弱電流の第２強度とを印加する第２作動モードと、光の第３波長帯域と微弱電流の第３強度とを印加する第３作動モードと、第１作動モード、第２作動モードおよび第３作動モードのうちの少なくとも２つが既定の時間の間動作する第４作動モードとを含む、皮膚美容機器が提供され得る。
【００１６】
また、前記ボタン部は、前記第１作動モード〜第４作動モードのいずれか1つに変更可能な動作ボタンと、前記第１作動モード〜第４作動モードを示せる複数の色を表示する通知部とを含む、皮膚美容機器が提供され得る。
【００１７】
また、前記表示部は、複数の色を表示し得る複数のＬＥＤを含み、前記ＬＥＤの色と、点灯量と、点灯および消灯の繰り返し程度とに応じてユーザの皮膚状態を示せる、皮膚美容機器が提供され得る。
【００１８】
また、前記作動部と同一平面に形成される接触センサーを含み、前記表示部に表示される色と前記ボタン部に表示される色が同一のときに前記接触センサーを皮膚に接触させることにより、前記推奨モードで推奨する光と微弱電流とが前記作動部によって皮膚に印加される、皮膚美容機器が提供され得る。
【００１９】
また、前記作動部による光と微弱電流との印加と、前記測定部による皮膚状態の測定とが同時に起こり得るように、前記作動部と前記測定部とは同一平面に位置する、皮膚美容機器が提供され得る。
【００２０】
また、前記第１色相照射区間で照射される光の波長帯域は４００ｎｍ〜４８０ｎｍであり、前記第２色相照射区間で照射される光の波長帯域は５５０ｎｍ〜６１０ｎｍであり、前記第３色相照射区間で照射される光の波長帯域は６１０ｎｍ〜６５０ｎｍである、皮膚美容機器が提供され得る。
【００２１】
また、本発明の一実施例によると、皮膚状態を改善するための皮膚美容機器の制御方法において、測定部により皮膚の油水分量を測定する段階と、制御部により前記油水分量に応じた特定波長帯域の光と微弱電流強度とを推奨する推奨モードを決定する段階と、表示部により互いに異なる光の波長帯域と互いに異なる微弱電流とを推奨する複数の推奨モードのいずれか1つの推奨モードを表示する段階と、ボタン部の動作により選択モードに変更されるか、ボタン部の動作なく接触センサーを皮膚に接触させて表示部により表示される推奨モードが実行される段階と、前記表示部により表示される推奨モードが実行されると、作動部を介して表示部により表示される前記推奨モードが表示する波長帯域の光と微弱電流とを皮膚に印加する段階と、前記選択モードが実行されると、作動部により前記ボタン部の作動で選択された波長帯域の光と微弱電流とを皮膚に印加する段階とを含む、皮膚美容機器の制御方法が提供され得る。
【００２２】
また、測定部により、前記作動部の動作過程において皮膚状態を既定の時間間隔で測定し、前記表示部によって皮膚状態の変化を表示する段階と、前記表示部によって前記作動部の動作が完了した後の皮膚状態が表示される段階とを含む、皮膚美容機器制御方法が提供され得る。
【発明の効果】
【００２３】
本発明の実施例による皮膚美容機器およびその制御方法は、皮膚状態の診断と皮膚状態の改善とを１つの機器で実現し得るメリットがある。
【００２４】
また、皮膚状態に適した光と微弱電流とを印加して、皮膚に必要な効果を提供することにより皮膚状態を改善し得る効果がある。
【００２５】
また、皮膚状態に適した光と微弱電流とを推奨する推奨モードを提供し得るメリットがある。
【００２６】
また、互いに異なる波長帯域の光と微弱電流とを同時に印加し得る効果がある。
【図面の簡単な説明】
【００２７】
【図１】図１は、本発明の一実施例による皮膚美容機器を示す斜視図である。
【図２】図２は、図１における皮膚美容機器の正面図である。
【図３】図３は、図１における皮膚美容機器の外周面図である。
【図４】図４は、図１における測定部と作動部を上部から見た平面図である。
【図５】図５は、図１における皮膚美容機器の構成を示すブロック図である。
【図６】図６は、図１における皮膚美容機器の制御方法を示すフロー図である。
【図７】図７は、図４における他の実施例による測定部と作動部を上部から見た平面図である。
【発明を実施するための形態】
【００２８】
以下では、本発明の具体的な実施例について、図面を参照して詳細に説明する。なお、本発明を説明するに当たって、関連する公知の構成または機能に関する具体的な説明が本発明の要旨を曖昧にし得ると判断される場合には、その詳細な説明を省略する。
【００２９】
図１は、本発明の一実施例による皮膚美容機器を示す斜視図であり、図２は、図１における皮膚美容機器の正面図であり、図３は、図１における皮膚美容機器の外周面図であり、図４は、図１における測定部と作動部とを上部から見た平面図であり、図５は、図１における皮膚美容機器の構成を示すブロック図である。
【００３０】
図１〜図５を参照すると、本発明の一実施例による皮膚美容機器１０は、ユーザが把持し得る本体１００と、ユーザの皮膚状態を測定し得る測定部２００と、測定部２００で測定されたユーザの皮膚状態を表示し得る表示部３００と、光および微弱電流中の1つ以上をユーザの皮膚に印加し得る作動部４００とを含み得る。しかし、本発明の一実施例による皮膚美容機器１０が印加し得るのは、光と微弱電流に限定されるものではなく、皮膚美容機器１０は振動または超音波を印加することを含み得る。
【００３１】
本体１００は皮膚美容機器１０の外形を形成し、皮膚美容機器１０に含まれる構成要素は本体１００内部に収容されるか、本体１００に装着され得る。
【００３２】
本体１００は、ユーザの皮膚状態を測定し得る測定部２００が位置する上部面１１０と、ユーザが使用時に把持し得る外周面１２０と、上部面１１０の反対側に位置する底面１３０とを含み得る。ここで、上部面１１０は楕円形状に形成され、底面１３０は床に立てられるように下部が平らに形成され、外周面１２０は上部面１１０と底面１３０とを連結する４つの面から形成され得る。
【００３３】
上部面１１０には、ユーザの皮膚状態を測定し得る測定部２００と、光と微弱電流中の1つ以上をユーザの皮膚に印加し得る作動部４００とが位置し得る。
【００３４】
外周面１２０には、ユーザの皮膚状態を示せる表示部３００と、作動部４００を作動させるボタン部５００とが位置し得る。
【００３５】
具体的に、表示部３００は外周面１２０の一側面から正面を向くように配置され、ボタン部５００は外周面１２０の他の側面から正面と垂直する方向を向くように配置され得る。なお、正面とは、図２を基準にｙ軸方向と理解され得る。このように、表示部３００とボタン部５００とが垂直する方向を向くように配置されることにより、ユーザがボタン部５００を押すと同時に表示部３００を容易に確認し得る。上部面１１０は、水平面（ＸＹ平面）に対して所定の角度傾いた傾斜面で形成され得る。例えば、上部面１１０は図３に示すように、本体１００の底面１３０に対して一方が他方よりも相対的に高い高さを有する傾斜面であり得、測定部２００と作動部４００とは上部面１１０と同一平面に位置し得る。このような所定の角度傾いた上部面１１０を含むことにより、ユーザは楽な姿勢で皮膚美容機器１０をユーザの顔面に接触させ得る。
【００３６】
また、本体１００の内部には、皮膚美容機器１０に電源６２０を印加するためのバッテリー（図示せず）が装着され得る。
【００３７】
測定部２００は、ユーザの皮膚状態を測定できる構成として理解され得る。例えば、測定部２００は、皮膚の油水分程度を測定する油水分センサーを含み得る。また、測定部２００は、油水分センサーとともに弾力程度を測定する弾力センサーをさらに含み得る。
【００３８】
油水分センサーは、既定の周波数を発振する第１電極２１０と、第１電極２１０から発振された周波数を受信する第２電極２２０とを含み得る。この際、第１電極２１０と第２電極２２０とは、同一平面にて並べて配置され得、第１電極２１０と第２電極２２０との間には電流が流れない絶縁体が配置され得る。
【００３９】
第１電極２１０から発振した周波数値と、第２電極２２０で受信した周波数値との差に基づいて皮膚の油水分量が算出され得る。具体的に、第１電極２１０から発振された周波数は、第１電極２１０と接触しているユーザの皮膚を介して第２電極２２０に伝達され得る。
【００４０】
この際、ユーザ皮膚の油水分量によって皮膚の誘電率が異なり、周波数がユーザの皮膚を通過する際、ユーザ皮膚の誘電率によって周波数減衰量が異なることとなる。すなわち、第１電極２１０から発振された周波数が皮膚を通過して第２電極２２０で測定されると、第２電極２２０で測定された周波数によりユーザ皮膚の油水分量が測定され得る。
【００４１】
測定部２００により測定されたこのような周波数変化量に基づいて、皮膚の油水分量が算出されることができ、そのための特定周波数に対する油水分量と周波数変化量のマッチングデータはメモリ６１０に保存されている。
【００４２】
また、第１電極２１０から発振される周波数は制御部６００によって可変し得る。つまり、制御部６００は、製造社の設定またはユーザの設定により、第１電極２１０から発振される周波数を変更することができ、そのために皮膚美容機器１０は、ユーザが周波数を選択し得る操作部（図示せず）をもさらに含み得る。なお、周波数は３ｋＨｚであり得る。
【００４３】
前述の実施例では、第１電極２１０から周波数を発振し、第２電極２２０で発振された周波数を受信することを例に挙げて説明したが、第２電極２２０から周波数を発振し、第１電極２１０で発振された周波数を受信することをも含み得る。
【００４４】
また、測定部２００の第１電極２１０と第２電極２２０とは、周波数を発振および受信することを例に挙げて説明したが、測定部２００はこれに限定されない。例えば、測定部２００の第１電極２１０と第２電極２２０とは、皮膚の電圧を測定して皮膚の油水分量に換算し得る。この場合、皮膚の電圧測定値に基づく油水分量のマッチングデータはメモリ６１０に保存されている。
【００４５】
前述の実施例において、測定部２００を、油水分量を測定する油水分センサーとして例に挙げて説明したが、測定部２００はこれに限定されるものではない。
【００４６】
例えば、測定部２００は、皮膚の弾力を測定する弾力センサー（図示せず）をさらに含み得る。具体的に、弾力センサーは、ひずみゲージ（strain gauge）を含む圧力センサー、または皮膚に一端が接触して加圧するプローブ、プローブの他端と連結されＦＳＲセンサーと接触する弾性部材、および弾性部材と連結され圧力を測定することにより皮膚の弾力を測定するＦＳＲセンサーをも含み得る。
【００４７】
測定部２００は、作動部４００と同一平面に位置し得る。このような配置関係を有することによって、作動部４００により皮膚に光の照射および微弱電流を流しながら、測定部２００によって皮膚状態を同時に測定し得る。
【００４８】
第１電極２１０と第２電極２２０とは本体１００の上部面１１０に位置し、互いに並んで配置され得る。また、第１電極２１０と第２電極２２０とは互いに接触せず、電極部４２０と並んで上部面１１０の縁に沿って配列され得る。
【００４９】
第１電極２１０と第２電極２２０とは、傾斜する上部面１１０においてｚ方向高さの２０％上部に位置し得る。この場合、ユーザは上部面１１０の高い部分に位置する第１電極２１０と第２電極２２０とを皮膚に容易に接触させ得る。
【００５０】
表示部３００により測定部２００で測定されたユーザの皮膚状態が表示され、表示部３００により後述する複数の推奨モードが表示され得る。
【００５１】
表示部３００は、複数の色を表示し得る複数のＬＥＤを含み得る。具体的に、１つのＬＥＤが複数の色を表示し得る。このように、複数の色を示す複数のＬＥＤが提供されることにより、表示部３００によってユーザに皮膚状態および推奨モードに関する情報を伝えられる。ただし、皮膚状態および後述する複数の推奨モードを表示することさえできれば、その手段はＬＥＤに限定されるものではなく、ディスプレイを利用した表示手段が表示部３００に含まれることもできる。
【００５２】
本実施例では、表示部３００が複数の色を表示し得る複数のＬＥＤであるものを例に挙げて説明する。
【００５３】
表示部３００は、本体１００の外周面１２０に配置され得る。なお、ユーザが肉眼で確認できるところであれば、表示部３００が本体１００に配置される位置は制限されるものではない。
【００５４】
表示部３００は、ＬＥＤの点灯数量、色、および点滅により、第１電極２１０と第２電極２２０とで測定されたユーザの皮膚状態が表示され得る。なお、表示部３００であるＬＥＤの点灯数量は、ユーザの肉眼で認識され得る数と理解され得る。
【００５５】
例えば、表示部３００の第１色相は皮膚の水分量を表示し、第２色相は皮膚の油分量を表示し、第３色相は皮膚の弾力を表示するものと理解され得る。ここで、第１色相は青色（Blue）、第２色相は黄色（Yellow）、第３色相は赤色（Red）であり得る。
【００５６】
皮膚の水分が不足するときに表示される第１色相は、皮膚の水分度改善に効果のある波長帯域の色（青）とマッチングされ、皮膚の油分が不足するときに表示される第２色相は、皮膚の油分度改善に効果のある波長帯域の色（黄）とマッチングされ、皮膚の弾力が不足するときに表示される第３色相は、皮膚の弾力度改善に効果のある波長帯域の色（赤）とマッチングされ得る。これにより、ユーザは自分の皮膚状態において相対的に足りない部分（水分、油分、弾力）と管理が行われるべき推奨モードがいかなる皮膚改善機能を有するのかを直観的に把握し得る。
【００５７】
また、表示部３００の点灯数量は、水分量、油分量、弾力を定量的に表示し得る。また、表示部３００の点滅（点灯と消灯とが繰り返されること）は、水分量、油分量、弾力などが足りないことを示せる。
【００５８】
皮膚美容機器１０を用いてユーザの皮膚状態を測定した後、皮膚状態が水分量不足であると、１つの表示部３０１が点滅して青色を表示し得る。この際、表示部３００の点灯数は水分量の不足度合いを表示し得る。例えば、表示部３００の点灯数が４個なら非常に良好、３個なら良好、２個なら乾燥、１個なら悪乾燥を示すものと理解され得る。
【００５９】
また、皮膚状態が油分量不足であると、１つの表示部３０１は黄色を表示して点滅し得る。
【００６０】
また、皮膚状態が弾力不足であると、表示部３００が点滅して赤色を表示し得る。また、皮膚状態が油分と水分の両方が同じ偏差で不足すると、１つの表示部３０１が点滅して赤色を表示し得る。
【００６１】
ここで、水分不足を示す青色の点滅は、水分測定値が既定の人の平均水分値より小さい場合に表示され得る。油分不足を示す黄色の点滅は、油分測定値が既定の人の平均油分値より小さい場合に表示され得る。赤色の点滅は、皮膚の弾力が不足するか、または水分測定値と油分測定値とが既定の人の平均水分値と平均油分値よりも大きいか、もしくは両測定値の偏差が同じか０のときに表示され得る。この際、水分の不足度合いと油分の不足度合いおよび弾力の不足度合いは、既定の平均値との差で判断し得る。
【００６２】
また、水分測定値が既定の人の平均水分値よりも小さく、油分の測定値も規定の人の平均油分値よりも小さい場合、平均値との差が大きい程度に応じて表示される色（推奨モード色）が制御され得る。例えば、水分測定値が３０で既定の人の平均水分値が４０であり、油分測定値が１８で既定の人の平均油分値が２０である場合、水分量が油分量よりも不足していると判断して、表示部３００には水分不足を示す青色の点滅が表示され得る。
【００６３】
また、表示部３００が複数の色を表示できる場合、既定の平均値と対比して偏差が最も大きい色を表示することができ、前記偏差がすべて同一の場合、表示される優先度は赤色、青色、黄色の順に設定され得る。しかし、本発明の思想はこのような順に限定されるものではなく、前記の順序以外の順序組合せにも設定され得る。
【００６４】
また、本発明の思想はこれに限定されるものではなく、表示部３００は１つの表示部３０１が１つの色のみを示すことを含み得る。この場合、水分量、油分量、弾力などの皮膚状態は、複数（列）の表示部によりそれぞれ表示されることもあり得る。例えば、表示部３００が３つの列で構成され、第１列には皮膚の水分量が表示され、第２列には油分量が表示され、第３列には弾力の度合いが表示され得る。
【００６５】
表示部３００は、第１電極２１０と第２電極２２０で測定された皮膚の油水分量による皮膚状態を示せ、油水分量に基づいて作動部４００から印加する光の波長帯域と微弱電流の強さとを推奨する複数の推奨モードを示せる。
【００６６】
ここで、複数の推奨モードは、作動部４００から印加する光の第１波長帯域と微弱電流の第１強度とを推奨する第１推奨モードと、作動部４００から印加する光の第２波長帯域と微弱電流の第２強度とを推奨する第２推奨モードと、作動部４００から印加する光の第３波長帯域と微弱電流の第３強度とを推奨する第３推奨モードとを含み得る。
【００６７】
具体的に、第１推奨モードは測定された皮膚の水分量が不足すると、水分を補うための推奨機能として使用され得、第２推奨モードは測定された皮膚の油分量が不足すると、油分を補うための推奨機能として使用され得、第３推奨モードは皮膚の弾力が不足するか、または皮膚の水分量と油分量が十分な場合、もしくは水分量と油分量の偏差が同一または０の場合に弾力を改善するための推奨機能として使用され得る。
【００６８】
作動部４００は、光と微弱電流中の1つ以上をユーザの皮膚に印加し得る。本発明の実施例において、作動部４００は光の照射が可能な光源４１０と微弱電流を印加させ得る電極部４２０とを含むものを例に挙げて説明する。ただし、本発明の思想はこれに限定されるものではなく、作動部４００は振動を印加させるための振動部（図示せず）、超音波を印加させるための超音波部（図示せず）をもさらに含み得る。
【００６９】
作動部４００は、互いに異なる波長帯域の光の照射が可能な光源４１０と、ユーザの皮膚に電位差を発生させて皮膚の電気的環境を変化させ得る電極部４２０とを含み得る。また、作動部４００は、光源４１０の前面に配置される透光性カバー４３０を含み得る。
【００７０】
光源４１０は、所定の波長帯域を有する光を発生させ、ユーザの皮膚側に照射され得る。光源４１０から照射される所定帯域を有する光が皮膚に浸透され、光の波長による皮膚改善効果（水分量の増加、皮膚の均一さと透明度の改善、弾力改善など）を発生させ得る。
【００７１】
光源４１０は本体１００の内部に配置されるが、透光性カバー４３０によって覆われてもよく、光源４１０から照射される光は透光性カバー４３０を通過して皮膚に伝達され得る。なお、光源４１０は互いに異なる波長帯域の光を照射する複数の発光素子を含み得る。
【００７２】
一例として、光源４１０は、互いに異なる波長帯域の光を照射するＬＥＤ状の複数の発光素子が１つの基板上に実装され単一チップ状で実現され得る。
【００７３】
光源４１０は、互いに異なる波長帯域の光を照射し得る。例えば、光源は、光の第１波長帯域と第２波長帯域と第３波長帯域とを照射することができ、第１波長帯域は４００ｎｍ〜４８０ｎｍであり、第２波長帯域は５５０ｎｍ〜６１０ｎｍであり、第３波長帯域は６１０ｎｍ〜６５０ｎｍであり得る。この際、第１波長帯域によって皮膚に伝達される光は青色を示せ、第２波長帯域によって皮膚に伝達される光は黄色を示せ、第３波長帯域によって皮膚に伝達される光は赤色を示せる。なお、第１波長帯域は第１色相照射区間、第２波長帯域は第２色相照射区間、第３波長帯域は第３色相照射区間として理解され得る。
【００７４】
このように、第１波長帯域〜第３波長帯域中の1つ以上を皮膚に照射して、皮膚の鎮静効果、皮膚のキメ改善、敏感肌の鎮静ケア、皮膚輪郭の改善、皮膚弾力の改善、皮膚弾性復元力、皮膚のリフティング改善、および皮膚ツヤの改善などの効果を１つの機器により得られる。第１波長帯域は水分を、第２波長帯域は油分を、第３波長帯域は弾力を最も効果的に改善するものとして理解され得る。ただし、それぞれの波長帯域は、前述のいずれか1つ１つの効果のみを示すものではなく、前述の皮膚改善効果を複合的に示せる。
【００７５】
本発明の光源４１０から照射し得る波長帯域は、前述の実施例に限定されるものではなく、皮膚改善効果に適した他の波長帯域が選択され得る。
【００７６】
また、光源４１０は点灯が連続的に持続され得、点灯と消灯とが繰り返され得る。一方、光源４１０の波長帯域の選択は、後述するボタン部５００によっても行われ得る。
【００７７】
電極部４２０は、ユーザの皮膚に電位差を発生させ、皮膚の電気的環境を変化させ得る微弱電流を提供し得る。電極部４２０は、ユーザの皮膚に接触する際に皮膚と閉回路を構成して、ユーザの皮膚に電位差を発生させ得るように、同一平面に配置される、互いに分離された一対の接触電極４２０ａ、４２０ｂを含み得る。一対の接触電極４２０ａ、４２０ｂは、電源６２０印加の際にユーザの皮膚に電位差を発生させ皮膚の電気的環境を変化させることにより、イオン性薬物の皮膚透過を増加させ得る。具体的に、一対の接触電極４２０ａ、４２０ｂは、イオントフォーレシスの機能を実現するためのもので、バッテリー（図示せず）により供給された電源６２０を利用してユーザの身体に直流電流を印加して、ユーザの皮膚と一対の接触電極４２０ａ、４２０ｂが閉回路を構成することによってイオンの移動が発生することとなる。これにより、皮膚に塗布された化粧品がイオン化されると、化粧品が皮膚の粘膜を容易に通過して皮膚内の組織に浸透されるイオン導入の効果が発生され得る。
【００７８】
一対の接触電極４２０ａ、４２０ｂは、前述のように上部面１１０の同一面上に離隔して配置され得る。また、一対の接触電極４２０ａ、４２０ｂは、上部面１１０に互いに離隔した状態でそれぞれ固定される双極性（bipolar）方式で実現され得る。
【００７９】
ユーザがケアしようとする身体部位に化粧品を塗布した状態で皮膚に上部面１１０を接触すると、同一面上に離隔配置された一対の接触電極４２０ａ、４２０ｂが皮膚と同時に接触され得る。これにより、使用過程の中でユーザが本体１００の把持位置を変えても、常に一対の接触電極４２０ａ、４２０ｂが皮膚と接触した状態を維持してイオントフォーレシス機能が実現され得る。
【００８０】
一対の接触電極４２０ａ、４２０ｂは、皮膚との接触面積を広げられるように所定の面積を有する板状の部材からなり得る。一例として、一対の接触電極４２０ａ、４２０ｂは上部面１１０の縁に沿って形成されるが、一対の接触電極４２０ａ、４２０ｂの中央に光源４１０が透過し得る形状で設けられる。具体的に、一対の接触電極４２０ａ、４２０ｂは測定部２００と同一平面に配置されるが、測定部２００が一対の接触電極４２０ａ、４２０ｂの間に配置され得るように一方が他方より短く形成され得る。
【００８１】
また、光源４１０から照射される光が外部に透過できるように、一対の接触電極４２０ａ、４２０ｂと測定部２００の全体形状は、楕円リング状に形成され得る。
【００８２】
また、一対の接触電極４２０ａ、４２０ｂの縁によって形成されるエッジは曲面に形成され得る。これにより、一対の接触電極４２０ａ、４２０ｂがユーザの皮膚と接触して、ユーザの皮膚を擦る過程で鋭いエッジにユーザの皮膚が傷つけられることが防止され得る。
【００８３】
また、一対の接触電極４２０ａ、４２０ｂは、上部面１１０に対して既定の距離分突出され得る。これにより、皮膚美容機器１０が皮膚に接触したとき、光源４１０から出射される光が一対の接触電極４２０ａ、４２０ｂによって外部に漏れ出ることが遮断され得る。
【００８４】
一方、一対の接触電極４２０ａ、４２０ｂによって発生される微弱電流の強度は様々な強度を示せる。本実施例において、一対の接触電極４２０ａ、４２０ｂによって発生される微弱電流の強度は、３つの強さの強度（第１強度、第２強度、第３強度）を示すことを例に挙げて説明する。
【００８５】
一対の接触電極４２０ａ、４２０ｂによって発生する第１強度は、光源４１０から発生する第１波長帯域の光が照射される際、同時に発生するように設定され得る。第２強度は、光源４１０から発生する第２波長帯域の光が照射される際、同時に発生するように設定され得る。第３強度は、光源４１０から発生する第３波長帯域の光が照射される際、同時に発生するように設定され得る。なお、微弱電流は、第１強度、第２強度、第３強度の順に強い強度のものとして理解され得る。
【００８６】
このように、第１波長帯域の光と弱い微弱電流とを皮膚に伝達し、皮膚美容機器１０を化粧品が塗布された皮膚に撫でると、皮膚の水分量の向上が促進され得る。
【００８７】
また、第２波長帯域の光と中間強度の微弱電流を皮膚に伝達し、皮膚美容機器１０を化粧品が塗布された皮膚に撫でると、皮膚に油分量が向上してつややかになるようにし得る。
【００８８】
また、第３波長帯域の光と強い強度の微弱電流とを皮膚に伝達し、皮膚美容機器１０を化粧品が塗布された皮膚に撫でると、皮膚の弾力が改善され得る。
【００８９】
また、光源４１０から出てくる光の波長と電極部４２０から出てくる微弱電流が制御されるように、作動部４００は複数の作動モードで動作され得る。例えば、作動部４００の作動モードは、光の第１波長帯域と微弱電流の第１強度とを印加する第１作動モードと、光の第２波長帯域と微弱電流の第２強度とを印加する第２作動モードと、光の第３波長帯域と微弱電流の第３強度とを印加する第３作動モードと、第１作動モードと第２作動モードと第３作動モードとが既定の時間の間すべて動作する第４作動モードとを有し得る。
【００９０】
このような、それぞれの作動モードは後述するように、表示部３００によって表示される色が表示されるとき、接触センサー２３０を皮膚に接触するとこのような作動モードが作動され得、ボタン部５００により選択されることも有り得る。
【００９１】
ボタン部５００は、前述の第１作動モード〜第４作動モードのいずれか1つを選択し得る動作ボタン５１０と、第１作動モード〜第４作動モードの選択状態を分かるように複数の色を示す通知部５２０とを含み得る。
【００９２】
動作ボタン５１０のクリックにより順次、第１作動モードから第４作動モードに進み、このような表示は通知部５２０によって示せる。
【００９３】
例えば、通知部５２０は、第１作動モードを示す青色、第２作動モードを示す黄色、第３作動モードを示す赤色、第４作動モードを示す白色を表示することができ、動作ボタン５１０の操作により第１作動モード〜第４作動モードのいずれか1つが選択され得る。
【００９４】
また、前述の実施例では、４つの作動モード（第１作動モード〜第４作動モード）について述べたが、本発明の思想はこれに限定されるものではなく、皮膚美容機器１０は第５作動モード〜第８作動モードをもさらに含み得る。例えば、作動部４００の作動モードは、微弱電流の印加なく光の第１波長帯域のみを印加する第５作動モードと、微弱電流の印加なく光の第２波長帯域のみを印加する第６作動モードと、微弱電流の印加なく光の第３波長帯域のみを印加する第７作動モードと、光の印加なく微弱電流のみが印加される第８作動モードとをもさらに含み得る。この場合、ボタン部５００によって第１作動モード〜第８作動モードのいずれか1つが選択されるか、または表示部３００によって表示される色が表示されるとき、接触センサー２３０を皮膚に接触するとこのような作動モードが作動され得る。
【００９５】
通知部５２０の色は、表示部３００に表示する色と同じ色になるように制御部６００によって制御され得る。
【００９６】
動作ボタン５１０を押すことにより、表示部３００と通知部５２０とに表示される色が変わり、それによって皮膚に印加される光の波長帯域と微弱電流も変わり得る。
【００９７】
また、動作ボタン５１０は、皮膚美容機器１０の電源のｏｎ／ｏｆｆに使用され得る。例えば、皮膚美容機器１０の電源が切れたとき、動作ボタン５１０を３秒以上押せば皮膚美容器具１０がオンとなり、皮膚美容機器１０の電源が入ったとき、動作ボタン５１０を３秒以上押せば皮膚美容器具１０がオフになり得る。
【００９８】
また、皮膚美容機器１０は、皮膚との接触有無を感知する接触センサー２３０をさらに含み、接触センサー２３０は圧力センサーまたは静電容量センサーを含み得る。
【００９９】
接触センサー２３０が皮膚美容機器１０に適用される場合、光源４１０は接触センサーによって皮膚が感知された場合にのみ照射され得る。この際、接触センサー２３０は、上部面１１０の一部に配置され得る。例えば、接触センサー２３０は、透光性カバー４３０上の測定部２００と隣接する付近に配置され得る。より具体的に、接触センサー２３０は、透光性カバー４３０の内側で測定部２００と光源４１０との間に配置され得る。
【０１００】
接触センサー２３０によって光源４１０から照射される光は、一対の接触電極４２０ａ、４２０ｂが皮膚に触れた状態でのみ照射され得る。この場合、光源４１０から出てくる光によってユーザの視力が損なわれることが防止され得る。
【０１０１】
また、皮膚美容機器１０は、光源と皮膚との間の距離を感知する距離センサー（図示せず）を含み得る。
【０１０２】
距離センサー（図示せず）は、光源が実装される回路基板上に配置され得る。ここで、回路基板は透光性カバー４３０の後方側に配置され得る。
【０１０３】
距離センサー（図示せず）が皮膚美容機器１０に適用されると、光源４１０は距離センサーによって感知された距離が既定の範囲内である場合にのみ照射され得る。
【０１０４】
また、皮膚美容機器１０は、測定部２００からセンシングされた皮膚の水分量と油分量に関する情報をメモリ６１０に保存し得る。
【０１０５】
また、皮膚美容機器１０は、測定部２００からセンシングされた水分量と油分量に基づいて、光源４１０から出てくる光の波長帯域と電極部４２０から印加される微弱電流の強度とを推奨する複数の推奨モードを表示部３００に表示するように制御する制御部６００を含み得る。
【０１０６】
また、制御部６００は、測定部２００によって皮膚状態が測定され、その結果を表示部３００が表示した後、ユーザが別途操作することなくユーザの皮膚と接触センサー２３０が接触すると（接触が感知されると）、当該推奨モードが作動するように作動部４００を制御し得る。
【０１０７】
また、制御部６００は、表示部３００で表示される推奨モードに従うように光源４１０と電極部４２０を制御して、特定の波長帯域を有する光を皮膚に印加し、特定の強度を有する微弱電流を皮膚に伝達し得る。
【０１０８】
また、皮膚美容機器１０が接触センサー２３０または距離センサー（図示せず）を含む場合、制御部６００はこれらを制御し得る。
【０１０９】
また、制御部６００は、測定部２００で測定された結果値の範囲に応じて、複数の推奨モードのいずれか1つの推奨モードに対応する色を表示部３００に表示するが、測定部２００で測定された結果値の範囲が異なっても、作動部４００から同一色を有する波長帯域の光が照射されるように設定し得る。
【０１１０】
具体的に、作動部４００の光源４１０は、下記［表１］に示すように、測定部２００で測定された測定結果値（測定電圧）に応じて単位照射波長区間が２回繰り返される動作シーケンスを有し得る。
【０１１１】
ここで、光源４１０が照射する光の波長帯域は単位照射波長区間を含むことができ、単位照射波長区間は青色を照射する第１色相照射区間と、黄色を照射する第２色相照射区間と、赤色を照射する第３色相照射区間とを含み得る。
【０１１２】
【表１】
2020151478.tif 000003
【０１１３】
また、制御部６００は、第１色相照射区間（青色）、第２色相照射区間（黄色）および第３色相照射区間（赤色）を含む単位照射波長区間に対する光の照射が少なくとも１回以上繰り返されるように前記光源を制御し得る。好ましくは、制御部６００は、第１色相照射区間、第２色相照射区間および第３色相照射区間を含む単位照射波長区間に対する光の照射が少なくとも２回以上繰り返すように前記光源を制御し得る。
【０１１４】
ここで、第１色相照射区間で照射される光の波長帯域は４００ｎｍ〜４８０ｎｍであり、第２色相照射区間で照射される光の波長帯域は５５０ｎｍ〜６１０ｎｍであり、第３色相照射区間で照射される光の波長帯域は６１０ｎｍ〜６５０ｎｍであり得る。
【０１１５】
［表１］においては、測定部２００で測定された電圧（Ｖ）で皮膚状態を分類したが、前述のように、測定された周波数に応じて皮膚状態が分類されることもあり得る。
【０１１６】
制御部６００は、このように光源４１０を制御することにより、季節別または各個人の体質の特性を考慮しても、ユーザは皮膚美容機器１０により様々な波長帯域の光の照射を受けられる。
【０１１７】
具体的に、季節別または体質別の特性に応じて、相対的に油水分量の少ないユーザは測定電圧［Ｖ］が低く測定されることとなり（例えば、前記［表１］でレベル１〜レベル３の区間）、相対的に油水分量の多いユーザは測定電圧［Ｖ］が高く測定されることとなる（例えば、前記［表１］でレベル４〜レベル６）。しかし、この場合にも制御部６００は、単位照射波長区間が繰り返されるように作動部４００を制御することにより、ユーザは様々な波長帯域の光の照射を受けられる。
【０１１８】
また、皮膚美容機器１０は、測定部２００によって皮膚状態の測定を知らせるアラーム部（図示せず）を含み得る。なお、アラーム部はボタン部５００の上部に表示されるＬＥＤ、音などと、公知のあらゆる手段を含み得る。
【０１１９】
図６は、図１における皮膚美容機器の制御方法を示すフロー図である。
図６を参照して本発明の一実施例による皮膚美容機器１０の制御方法は、以下の通りである。
【０１２０】
ボタン部５００が押されると、皮膚美容機器１０の電源が入る（Ｓ１）。
【０１２１】
その後、測定部２００が皮膚に触れると（ユーザが皮膚美容機器１０をユーザの皮膚に接触）、皮膚状態が測定され得る（Ｓ２）。この際、皮膚状態の測定完了の表示は、アラーム音、ボタン部５００および表示部３００から発光される光のうち少なくとも１つ以上で表示され得る。
【０１２２】
その後、制御部６００によって皮膚状態に適した推奨モードが決定され、推奨モードのうち皮膚に適した推奨モードが表示部３００に表示され得る（Ｓ３）。例えば、測定部２００によって測定された皮膚状態が水分不足の状態であると、表示部３００は水分不足状態を示すように青色を表示して点滅し得る。ここで、表示部３００に表示される青色は第１推奨モードを示せる。
【０１２３】
その後、ボタン部５００の通知部５２０には、表示部３００に表示される色と同じ色が表示され、動作ボタン５１０の作動で選択モードに変更されるか、動作ボタン５１０を作動なく接触センサーを皮膚に接触させて推奨モードが実行され得る（Ｓ４）。例えば、通知部５２０で表示部３００に表示される色と同じ色が表示される場合、動作ボタン５１０の操作なく皮膚美容機器１０を皮膚に接触させると、接触センサー２３０が皮膚接触の有無を感知して推奨モードが実行され得る。逆に、通知部５２０で表示部３００に表示される色と同じ色が表示された後、動作ボタン５１０の操作で第１作動モード〜第４作動モード中の1つを選択すると、選択モードが実行され得る。
【０１２４】
推奨モードが実行されると、制御部６００は推奨モードによる波長帯域および微弱電流を皮膚に印加させ得る（Ｓ５）。例えば、水分不足による第１推奨モードが実行されることにより、光の第１波長帯域と微弱電流の第１強度とが皮膚に印加され得る。
【０１２５】
一方、動作ボタン５１０の操作により表示部３００に表示される色と異なる色を有するように通知部５２０を操作し、皮膚美容機器１０を皮膚に接触すると、接触センサー２３０が皮膚の接触を認知して選択モードが実行され得る。選択モードが実行されると、選択されたモードによる波長帯域および微弱電流が皮膚に印加され得る（Ｓ６）。
【０１２６】
ここで、選択モードは、作動部４００により特定波長帯域の光と微弱電流とを皮膚に印加することを含み、第１色相照射区間、第２色相照射区間および第３色相照射区間を含む単位照射波長区間を１回以上（好ましくは２回以上）繰り返す動作シーケンスを有することを含み得る。
【０１２７】
作動部４００を皮膚に接触させて、光と微弱電流とが皮膚に印加される間、測定部２００は皮膚に接触されて皮膚の水分量と油分量が測定され、水分量と油分量の少なくとも１つの改善程度が表示部３００に表示され得る（Ｓ７）。例えば、水分量の改善程度は青色の点灯数が増加したことで表示され、油分量の改善程度は黄色の点灯数が増加したことで表示され、弾力の改善程度は赤色の点灯数が増加されたことで表示され得る。
【０１２８】
作動部４００の作動が完了すると、皮膚の改善程度が表示部３００に表示され得る（Ｓ８）。例えば、作動部４００が第１作動モードで動作する場合、水分充填による皮膚の改善程度を示す青色の表示部の点灯数が表示され得る。具体的に、皮膚美容機器１０の動作前の皮膚状態は、水分不足を示す青色の表示部１個が点滅するが、皮膚美容機器１０作動後の皮膚状態は、水分充填を示す青色の表示部４個が表示され得る。
【０１２９】
その後、皮膚美容機器１０の電源が自動または動作ボタン５１０の操作により電源が切れる（Ｓ７）。
【０１３０】
皮膚美容機器１０を利用して、このような過程を一定期間繰り返すと、皮膚改善効果（水分量増加、皮膚の均一さと透明度の改善、弾力改善など）を得られる。
【０１３１】
以下では、本発明の実施例による皮膚美容機器と皮膚美容機器の使用方法による効果について検討する。
【０１３２】
本発明の一実施例による皮膚美容機器１０は、皮膚状態の診断と皮膚状態の改善を行うことができるというメリットがある。
【０１３３】
また、皮膚美容機器１０は、皮膚状態に適した光と微弱電流とを印加して、皮膚状態改善のためのカスタム効果を提供し得る。
【０１３４】
また、皮膚美容機器１０は、互いに異なる波長帯域の光と微弱電流とを同時に印加し得るメリットがある。
【０１３５】
また、推奨モードが実行される場合、表示部３００に表示される色と、ボタン部５００に表示される色と、作動部４００から皮膚に印加される光源の色とは同一であり得る。この場合、ユーザは自分が動作しようとする光の強さと微弱電流の強度とを視覚的に容易に認知し得る。
【０１３６】
また、作動部４００の光源４１０は、所定の波長帯域を有する光を発生させてユーザの皮膚側に照射されるので、ユーザは皮膚に浸透する波長による皮膚の改善効果（水分量増加、皮膚の均一さと透明度の改善、弾力改善など）を得られる。
また、作動部４００の一対の接触電極４２０ａ、４２０ｂに直流電流を印加して、ユーザの皮膚に塗布された化粧品をイオン化すると、化粧品が皮膚の粘膜を容易に通過して皮膚内の組織に浸透されるイオン導入の効果を発生させ得る。
【０１３７】
また、第１波長帯域（４００ｎｍ〜４８０ｎｍ）の光と弱い微弱電流を皮膚に伝達し、皮膚美容機器１０を化粧品が塗布された皮膚に撫でると、皮膚の水分量向上が促進され得る。また、第２波長帯域（５５０ｎｍ〜６１０ｎｍ）の光と中間強度の微弱電流を皮膚に伝達し、皮膚美容機器１０を化粧品が塗布された皮膚に撫でると、皮膚に油分量が向上され得る。また、第３波長帯域（６１０ｎｍ〜６５０ｎｍ）の光と強い強度の微弱電流を皮膚に伝達し、皮膚美容機器１０を化粧品が塗布された皮膚に撫でると、皮膚の弾力を向上させ得る。
【０１３８】
第１電極２１０と第２電極２２０とは、傾斜された上部面１１０において最も高い部分に位置し得る。このように配置されることにより、ユーザは上部面１１０において最も高い部分を皮膚に接触させ得るので、より容易に皮膚状態を測定し得る。
【０１３９】
距離センサーまたは接触センサーを備えることにより、光源４１０から出る光は、皮膚に触れた状態または皮膚と所定距離以内でのみ発生するので、ユーザが光源４１０から出る光を見ることを防止し得る。
【０１４０】
図７は、図４の他の実施例による測定部と作動部とを上部から見た平面図である。図７の実施例は、図４に示す実施例に比べて、測定部と作動部の形状に差があるので、相違点を中心に説明し、同一部分については第１実施例の説明と図面符号を援用する。
【０１４１】
図７を参照すると、第１電極２１０’と第２電極２２０’とは、本体１００の上部面１１０に位置し、同心円を成して配置され得る。
【０１４２】
具体的に、測定部２００は、既定の周波数を発振する第１電極２１０’と、第１電極２１０’を囲み第１電極２１０’から発振された周波数を受信する第２電極２２０’と、第１電極２１０’と第２電極２２０’とを絶縁する絶縁体とを含み得る。この際、第１電極２１０’と第２電極２２０’とは同心円を成し得る。
【０１４３】
第１電極２１０’と第２電極２２０’間の同心円は絶縁体であり、第１電極２１０’と第２電極２２０’とを電気的に絶縁し得る。
【０１４４】
図７では、第１電極２１０’を内側に配置し、第２電極２２０’を外側に配置しているが、これに限定されるものではなく、その位置が変わり得る。
【０１４５】
また、第１電極２１０’と第２電極２２０’とは、傾斜された上部面１１０において最も高い部分に位置し得る。このように配置されることにより、ユーザは上部面１１０において最も高い部分を皮膚に接触させ得るので、より容易に皮膚状態を測定し得る。
【０１４６】
以下は、前述の皮膚美容機器およびその制御方法に関する各実施例の記載である。
【０１４７】
項目１は、本発明の一実施例によると、ユーザが把持し得る本体と、前記本体の一方に配置され、ユーザ皮膚の油水分量を測定し得る測定部と、前記油水分量の測定結果に基づいて、特定波長帯域の光と微弱電流の強度のうち少なくとも１つを推奨する推奨モードを決定する制御部と、前記制御部で決定された前記推奨モードを表示し得る表示部と、前記推奨モードを選択モードに変更し得るボタン部と、前記表示部に表示される前記推奨モードまたは前記ボタン部によって変更された選択モードにより、光および微弱電流中の少なくとも１つ以上をユーザの皮膚に印加し得る作動部とを含む皮膚美容機器が提供され得る。
【０１４８】
項目２は、前記制御部は、前記測定部で測定された結果値の範囲に応じて、複数の推奨モードのいずれか1つの推奨モードに対応する色を前記表示部に表示するが、前記測定部で測定された結果値の範囲が異なっても、前記作動部から同じ色を有する波長帯域の光が照射されるように設定される、項目１の皮膚美容機器が提供され得る。
【０１４９】
項目３は、前記作動部は、互いに異なる波長帯域の光の照射が可能な複数の光源、およびユーザの皮膚に電位差を発生させて皮膚の電気的環境を変化させ得る電極部のうち少なくとも１つを含み、前記光源が照射する光の波長帯域は単位照射波長区間を含み、前記単位照射波長区間は青色を照射する第１色相照射区間と、黄色を照射する第２色相照射区間と、赤色を照射する第３色相照射区間とを含む、項目１および項目２の皮膚美容機器が提供され得る。
【０１５０】
項目４は、前記制御部は、前記第１色相照射区間、前記第２色相照射区間および前記第３色相照射区間を含む前記単位照射波長区間に対する光の照射が少なくとも１回以上繰り返されるように前記光源を制御する、項目１〜項目３の皮膚美容機器が提供され得る。
【０１５１】
項目５は、前記制御部は、前記単位照射波長区間に対する光の照射が少なくとも２回繰り返されるように前記光源を制御する、項目１〜項目４の皮膚美容機器が提供され得る。
【０１５２】
項目６は、前記測定部は、既定の周波数を発振する第１電極と、前記第１電極から発振された周波数を受信する第２電極とを含み、前記測定部は、前記第１電極から発振された周波数値と前記第２電極で受信した周波数値の差に基づいて油水分量を算出し、前記表示部は、前記第１電極と前記第２電極とによって測定された皮膚の油水分量に基づいて、前記作動部で印加する前記光の波長帯域と前記微弱電流の強さとを推奨する複数の推奨モードを示せる、項目１〜項目５の皮膚美容機器が提供され得る。
【０１５３】
項目７は、前記表示部で示せる複数の前記推奨モードは、前記作動部から印加される光の第１波長帯域と微弱電流の第１強度とを推奨する第１推奨モードと、前記作動部から印加される光の第２波長帯域と微弱電流の第２強度とを推奨する第２推奨モードと、前記作動部から印加される光の第３波長帯域と微弱電流の第３強度とを推奨する第３推奨モードとを含み、前記作動部は、互いに異なる光の波長帯域と微弱電流とを皮膚に印加し得る複数の作動モードで動作可能であり、複数の前記作動モードは、光の第１波長帯域と微弱電流の第１強度とを印加する第１作動モードと、光の第２波長帯域と微弱電流の第２強度とを印加する第２作動モードと、光の第３波長帯域と微弱電流の第３強度とを印加する第３作動モードと、第１作動モード、第２作動モード、および第３作動モードのうち少なくとも２つが設定された時間の間に動作する第４作動モードとを含む、項目１〜項目６の皮膚美容機器が提供され得る。
【０１５４】
項目８は、前記ボタン部は、前記第１作動モード〜第４作動モードのいずれか1つに変更可能な動作ボタンと、前記第１作動モード〜第４作動モードを示せる複数の色を表示する通知部とを含む、項目１〜項目７の皮膚美容機器が提供され得る。
【０１５５】
項目９は、前記表示部は、複数の色を表示し得る複数のＬＥＤを含み、前記ＬＥＤの色と、点灯量と、点灯および消灯との繰り返し程度に応じて、ユーザの皮膚状態を表示し得る、項目１〜項目８の皮膚美容機器が提供され得る。
【０１５６】
項目１０は、前記作動部と同一平面に形成される接触センサーを含み、前記表示部に表示される色と前記ボタン部に表示される色が同一の際、前記接触センサーを皮膚に接触させることにより、前記推奨モードで推奨する光と微弱電流とが前記作動部によって皮膚に印加される、項目１〜項目９の皮膚美容機器が提供され得る。
【０１５７】
項目１１は、前記作動部による光と微弱電流の印加と、前記測定部による皮膚状態の測定とが同時に起こり得るように、前記作動部と前記測定部とは同一平面に位置する、項目１〜項目１０の皮膚美容機器が提供され得る。
【０１５８】
項目１２は、前記第１色相照射区間から照射される光の波長帯域は４００ｎｍ〜４８０ｎｍであり、前記第２色相照射区間から照射される光の波長帯域は５５０ｎｍ〜６１０ｎｍであり、前記第３色相照射区間から照射される光の波長帯域は６１０ｎｍ〜６５０ｎｍである、項目１〜項目１１の皮膚美容機器が提供され得る。
【０１５９】
項目１３は、皮膚状態を改善するための皮膚美容機器の制御方法において、測定部によって皮膚の油水分量を測定する段階と、制御部により前記油水分量に応じた特定波長帯域の光と微弱電流強度とを推奨する推奨モードを決定する段階と、表示部により互いに異なる光の波長帯域と互いに異なる微弱電流とを推奨する複数の推奨モードのいずれか1つの推奨モードを表示する段階と、ボタン部の作動によって選択モードに変更されるか、ボタン部の作動なく接触センサーを皮膚に接触させて表示部により表示される推奨モードが実行される段階と、前記表示部によって表示される推奨モードが実行される場合、作動部を介して表示部により表示される前記推奨モードが示す波長帯域の光と微弱電流とを皮膚に印加する段階と、前記選択モードが実行される場合、作動部を介して前記ボタン部の作動により選択された波長帯域の光と微弱電流とを皮膚に印加する段階とを含む、項目１〜項目１２に記載の皮膚美容機器の制御方法が提供され得る。
【０１６０】
項目１４は、測定部により前記作動部の動作過程で皮膚状態を既定の時間間隔で測定し、前記表示部により皮膚状態の変化を示す段階と、前記表示部により前記作動部の動作が完了した後の皮膚状態が表示される段階とを含む、項目１〜項目１３に記載の皮膚美容機器の制御方法が提供され得る。
【０１６１】
以上、本発明の実施例による皮膚美容機器を具体的な実施形態として説明したが、これは例示に過ぎないものであり、本発明はこれに限定されるものではなく、本明細書に開示された基礎思想による最も広い範囲を有するものと解釈されるべきでする。当業者は、開示された実施形態を組合、置換して摘示されていない形状のパターンを実施し得るが、これもまた本発明の範囲を逸脱しないものである。加えて、当業者は本明細書に基づいて開示された実施形態を容易に変更または変形することができ、このような変更または変形も本発明の権利範囲に属することは明らかである。
【符号の説明】
【０１６２】
１０：皮膚美容機器
１００：本体
２００：測定部
２１０、２１０’：第１電極
２２０、２２０’：第２電極
３００：表示部
４００：作動部
４１０：光源
４２０：電極部
５００：ボタン部
５１０：動作ボタン
５２０：通知部
【図１】
2020151478.tif 000004
【図２】
2020151478.tif 000005
【図３】
2020151478.tif 000006
【図４】
2020151478.tif 000007
【図５】
2020151478.tif 000008
【図６】
2020151478.tif 000009
【図７】
2020151478.tif 000010